(57)【要約】【課題】第１に、立体感がありリアル性に富み、デザイン性，オリジナル性，ユニーク性に優れた新しい表現により、インテリア感，趣味感，アッピール力，告知力等を、大きく向上させることができ、第２に、しかもこれが簡単容易に実現される、インテリアオブジェを提案する。【解決手段】このインテリアオブジェ２は、インテリア置物や電飾オブジェとして、店内，オフィス内，家庭内等において、展示，装飾，告知用等に使用される。そして、素材板１の表面５に、人の顔写真，その他の各種写真，絵，文字，図形，記号，模様，その他の画像Ｃを、元となる画像Ｃの各部分毎の細かい濃淡に対応した詳細な凹凸３で、表現してなる。もって、光源にて後から照射されると、光がこの凹凸３を通過することにより、表面５に、コントラストが付与されたレリーフ的な立体感画像Ｇが、閲覧者に対して表示される。【選択図】　　　　図１
2004050713.tif 000002
【特許請求の範囲】
【請求項１】
光を透過可能な素材板に、写真，絵，文字，図形，記号，模様，その他の画像を、元となる該画像の濃淡に対応した凹凸で表現してなること、を特徴とするインテリアオブジェ。
【請求項２】
請求項１に記載したインテリアオブジェにおいて、該凹凸は、元となる該画像の各部分毎の細かい濃淡分布に対応して、その起伏度が細かく変化しており、
元の該画像の濃いトーンの暗部分ほど、より浅く切除されて隆起度が高く、肉厚の厚い部分として形成され、光の透過度がより低くなっており、
元の該画像の淡いトーンの明部分ほど、より深く切除されて隆起度が低く、肉厚の薄い部分として形成され、光の透過度がより高くなっていること、を特徴とするインテリアオブジェ。
【請求項３】
請求項２に記載したインテリアオブジェにおいて、該素材板は、白色，乳白色，グレー，ライトブルー，ピンク，その他の半透明材よりなり、光を若干遮光しつつ透過可能であり、
裏面側が平坦面に形成されると共に、表面側に該凹凸が細かく多段に形成されていること、を特徴とするインテリアオブジェ。
【請求項４】
請求項３に記載したインテリアオブジェにおいて、該裏面側が光源に向けられると共に、該表面側が閲覧者に向けられており、
該光源から光が照射された場合に、該光が、該裏面側から該表面側へと透過可能であり、５０段階以上に細かく多段に形成された該凹凸を通過することにより、該表面に、コントラストが付与されたレリーフ的な立体感画像を表示可能であり、該立体感画像を該閲覧者に認識せしめることが可能となっていること、を特徴とするインテリアオブジェ。
【請求項５】
請求項４に記載したインテリアオブジェにおいて、該凹凸は、該画像をスキャナーで読み取ると共にＣＡＤソフトで編集，加工して得られたＣＡＭプログラムに基づき、切削機を用いて切削形成されていること、を特徴とするインテリアオブジェ。
【請求項６】
請求項４に記載したインテリアオブジェにおいて、該画像は、顔その他の肌が含まれており、該素材板は、ピンク系の半透明材よりなり、該立体感画像の顔その他の肌が、実物的に着色されて表示されること、を特徴とするインテリアオブジェ。
【発明の詳細な説明】
【０００１】
【発明の属する技術分野】
本発明は、インテリアオブジェに関する。すなわち、例えば店内，オフィス内，家庭内等において、展示，装飾，告知用等に使用される、インテリア置物，電飾オブジェに関するものである。
【０００２】
【従来の技術】
従来、写真や絵等は、写真立てや額縁に入れ、店内，オフィス内，家庭内等において飾られていた。すなわち、写真は紙にプリントされ、絵画は紙やクロスに描かれるかプリントされ、もって、前面にガラスを備え背面に受け板を備えた写真立てや額に、挟まれ収納されて、展示や装飾に使用されていた。
又、文字や記号による表示も、紙やボードに記載され、もって、店内，オフィス内，家庭内等において、テーブル，棚，壁等に置かれ，貼り付けられて、告知用に使用されていた。
記念盾，装飾板，その他各種のインテリアオブジェも、ほぼこれに準じた構成よりなり、ほぼ同様に使用されていた。
【０００３】
【発明が解決しようとする課題】
《問題点について》
ところで、このような従来のインテリアオブジェについては、次の問題が指摘されていた。
第１に、これら従来の写真，絵，文字表示，記号表示，記念盾，装飾板等々は、いずれも２次元的表現に止まっており、立体感がなく、インテリア感や趣味感に欠け、アッピール力や告知力に乏しい、という問題が指摘されていた。
すなわち、この種従来例はいずれも、色彩，デザイン，その他の平面的表現に力が注がれており、立体感がなくリアル性に劣り、もってインテリア感，趣味感，アッピール力，告知力等に、自ずと限界が存していた。もって、新しい表現の誕生が待ち望まれていた。
第２に、このようなインテリア感，趣味感，アッピール力，告知力等を高める一つの方法としては、例えば、人的面や物的面で大掛かりな仕掛けを実施することも考えられたが、人手やコストを要する、という難点があった。
【０００４】
《本発明について》
本発明は、このような実情に鑑み、上記従来例の課題を解決すべく、発明者の鋭意研究努力の結果なされたものであって、元となる画像の濃淡に対応した凹凸を、光を透過可能な素材板表面に切削形成して、裏面側に光源を置いて照射することにより、コントラストが付加された立体感画像を表示するようにしたこと、を特徴とする。
もって本発明は、第１に、新しい表現により、インテリア感，趣味感，アッピール力，告知力等を、大きく向上させることができ、第２に、しかもこれが簡単容易に実現される、インテリアオブジェを提案することを目的とする。
【０００５】
【課題を解決するための手段】
《各請求項について》
このような課題を解決する本発明の技術的手段は、次のとおりである。まず、請求項１については次のとおり。請求項１のインテリアオブジェは、光を透過可能な素材板に、写真，絵，文字，図形，記号，模様，その他の画像を、元となる該画像の濃淡に対応した凹凸で表現してなること、を特徴とする。
請求項２については次のとおり。請求項２のインテリアオブジェは、請求項１において、該凹凸は、元となる該画像の各部分毎の細かい濃淡分布に対応して、その起伏度が細かく変化している。
そして該凹凸は、元の該画像の濃いトーンの暗部分ほど、より浅く切除されて隆起度が高く、肉厚の厚い部分として形成され、光の透過度がより低くなっている。元の該画像の淡いトーンの明部分ほど、より深く切除されて隆起度が低く、肉厚の薄い部分として形成され、光の透過度がより高くなっていること、を特徴とする。
請求項３については次のとおり。請求項３のインテリアオブジェは、請求項２において、該素材板は、白色，乳白色，グレー，ライトブルー，ピンク，その他の半透明材よりなり、光を若干遮光しつつ透過可能である。そして裏面側が、平坦面に形成されると共に、表面側に該凹凸が細かく多段に形成されていること、を特徴とする。
【０００６】
請求項４については次のとおり。請求項４のインテリアオブジェは、請求項３において、該裏面側が光源に向けられると共に、該表面側が閲覧者に向けられている。
そして、該光源から光が照射された場合に、該光が、該裏面側から該表面側へと透過可能である。そして該光が、５０段階以上に細かく多段に形成された該凹凸を通過することにより、該表面に、コントラストが付与されたレリーフ的な立体感画像を表示可能であり、該立体感画像を該閲覧者に認識せしめることが可能となっていること、を特徴とする。
請求項５については次のとおり。請求項５のインテリアオブジェは、請求項４において、該凹凸は、該画像をスキャナーで読み取ると共にＣＡＤソフトで編集，加工して得られたＣＡＭプログラムに基づき、切削機を用いて切削形成されていること、を特徴とする。
請求項６については次のとおり。請求項６のインテリアオブジェは、請求項４において、該画像は、顔その他の肌が含まれており、該素材板は、ピンク系の半透明材よりなり、該立体感画像の顔その他の肌が、実物的に着色されて表示されること、を特徴とする。
【０００７】
《作用について》
本発明は、このようになっているので、次のようになる。
▲１▼このインテリアオブジェは、インテリア置物，電飾オブジェとして、店内，オフィス内，家庭内等にて使用される。
▲２▼そして、その素材板は半透明材よりなり、表面に、写真，絵，文字，記号，図形，模様，その他の画像が、その各部分の濃淡に対応した詳細な凹凸で、表現されている。
▲３▼この凹凸は、元の画像の暗トーン部分ほど、肉厚が厚く形成され光の透過度が低く表現され、元の画像の明トーン部分ほど、肉厚が薄く形成され光の透過度が高く表現されている。そして、元となる画像をスキャナーで読み取りＣＡＤソフトで編集したＣＡＭプログラムに基づき、切削機を用いて、例えば９０段階等、５０段階以上に細かく多段に形成されている。
【０００８】
▲４▼そして、このようなインテリアオブジェを、光源からの光が照射すると、光は、平坦面の裏面側から凹凸付きの表面側へと、若干遮光されつつ透過する。
▲５▼このように、光が多様な凹凸を通過することにより、コントラストが付与されたレリーフ的な立体感画像が、表面に表示される。本来の元の画像について、微妙な明暗が形成され、輪郭がくっきりと浮き出して、奥行き感，起伏感，陰影効果が付加された、三次元的な立体感画像が表示される。
▲６▼閲覧者は、この新しい表現の立体感画像により、今までにないデザイン性，オリジナル性，ユニーク性を感じ、写真，絵，文字，記号，図形，模様，その他の画像に関し、大きなインテリア感，趣味感，アッピール力，告知力を受けるようになる。
▲７▼なお、元の画像に顔その他の肌が含まれている場合に、ピンク系の素材板が用いられた場合は、立体感画像にて表示された顔その他の肌が、実物的に着色され、一段と趣味感が高まる利点がある。
【０００９】
【発明の実施の形態】
《図面について》
以下本発明を、図面に示す発明の実施の形態に基づいて、詳細に説明する。図１，図２，図３，図４等は、本発明のインテリアオブジェの実施の形態の説明に供する。
そして、図１の（１）図は、第１例に用いられた画像を、（２）図は、第１例の表面を、（３）図は、第１例の立体感画像を示す。図１の（４）図は、第２例に用いられた画像を、（５）図は、第２例の表面を、（３）図は、第２例の立体感画像を示す。
図２は、拡大した側断面図である。図３は、製造工程のブロック図である。図４の（１）図は、画像，切削度，透過性等の関係説明図、（２）図は、切削機の正面図である。
【００１０】
《素材板１について》
このインテリアオブジェ２は、素材板１に凹凸３を形成してなる。まず、この素材板１について述べる。
このインテリアオブジェ２で用いられる素材板１は、白色，乳白色，グレー，ライトブルー，ピンク，その他の半透明材よりなり、光源Ａから照射された光Ｂを、若干遮光しつつ透過可能である。
すなわち素材板１としては、アクリル，塩化ビニール，その他の樹脂製，ガラス製，人工大理石製，その他の材質のものが選択使用され、金属製のものも使用可能である。そして素材板１は、材質自体の色又は着色により、光Ｂを若干遮光しつつ透過可能な半透明のものが代表的であるが、選択された材質の種類やその肉厚によっては、かなり暗色に近い色、例えば黒色的なものも使用可能である。
そして通常は、素材板１として、肉厚が１ｍｍ〜３ｍｍ程度の平板状のものが使用されるが、それ以上又はそれ以下の肉厚のものも使用可能であり、形状も、わん曲状，折曲状，球状のものの使用も考えられる。又、素材板１の大きさ寸法には特に制限はなく、例えば、４ｃｍ×５ｃｍ程度のものから２０ｃｍ×３０ｃｍ程度のものが、代表的に使用される。
インテリアオブジェ２の素材板１は、このようになっている。
【００１１】
《凹凸３について》
次に、凹凸３について述べる。このようなインテリアオブジェ２の素材板１は、裏面４が、平坦面に形成されており光源Ａ側に向けられ、表面５が、細かく多段に形成された凹凸３を備えており閲覧者側に向けられる。
まず、このインテリアオブジェ２の素材板１の裏面４は、通常は平坦面に形成され、光Ｂの入射が容易となっている。なお場合によっては、多少の凹凸が裏面４に付加形成されることもあり、光Ｂの入射に支障がない限り許容される。
そして、このインテリアオブジェ２の素材板１の表面５には、人の顔写真，その他の各種写真，絵，文字，図形，記号，模様，その他の画像Ｃが、元となる画像Ｃの各部分毎の細かい濃淡分布に対応した詳細な凹凸３分布で、表現されている。
【００１２】
このような、インテリアオブジェ２の表面５の凹凸３について、更に詳述する。この凹凸３は、元の画像Ｃの濃いトーンの暗部分Ｄほど、より浅く切除されて隆起度が高く、厚い肉厚部分６として形成されており、光Ｂの透過度がより低くなっている。これに対し、元の画像Ｃの淡いトーンの明部分Ｅほど、より深く切除されて隆起度が低く、薄い肉厚部分７として形成されており、光Ｂの透過度がより高くなっている。
すなわち、図１の（１）図や（４）図に示された、第１例や第２例の元の画像Ｃにおいて、濃いトーンの暗部分Ｄほど、→図２や図４の（１）図に示したように、厚い肉厚部分６として、切削度がより小で浅く切除され、→もって、光Ｂの透過度がより低くなっている。
そして、暗部分Ｄに対応した厚い肉厚部分６の中でも、その暗さトーンの程度に応じ、切削度が細かく調整され、高い降起度ながら多段・多層に変化しており、光Ｂの透過度が、低い中でも更に細かく異なり、高低変化すべく設定されている。
【００１３】
同様に、図１の（１）図や（４）図に示された第１例や第２例の元の画像Ｃにおいて、淡く薄いトーンの明部分Ｅほど、→図２や図４の（１）図に示したように、薄い肉厚部分７として、切削度がより大で深く切除され、→もって、光Ｂの透過度がより高くなっている。
そして、明部分Ｅに対応した薄い肉厚部分７の中でも、その明るさトーンの程度に応じ、切削度が細かく調整され、低い降起度ながら多段・多層に変化しており、光Ｂの透過度が、高い中でも更に細かく異なり、高低変化すべく設定されている。
図１の（１）図や（４）図に示した第１例や第２例の画像Ｃのハーフトーン部分Ｆについても、これらに準じ、図２や図４の（１）図に示したように中間の肉厚部分８とされるが、更に、そのトーンの程度に応じ、切削度が細かく調整され、中程度の降起度ながら多段・多層に変化しており、光Ｂの透過度が中程度ながら、更に細かく異なり高低変化すべく設定されている。
【００１４】
表面５の凹凸３は、このように細かく多段に形成されており、最低でも５０段階以上、例えば９０段階程度に、細かく程度分けされた多層な起伏として形成されている。すなわち凹凸３は、上述した各種程度の厚い肉厚部分６，中間の肉厚部分８，薄い肉厚部分７の集合体よりなり、全体的には素材板１表面５の各所で、徐々に肉厚が細かく変化している。
なお、第１例や第２例では、図１の（２）図や（５）図そして図２に示したように、凹凸３が、インテリアオブジェ２の素材板１の表面５全体に、形成されている。しかしながら凹凸３は、このような図示例によらず、素材板１の表面５の一部のみに形成するようにしてもよく、この場合は、その一部の表面５の裏面４のみが、平坦面として形成されていればよく、裏面４の他部分については特に形状制限はない。
【００１５】
そして、光源Ａから光Ｂが照射された場合において、光Ｂが裏面４側から表面５側へと透過可能である。そして、この光Ｂが、凹凸３を通過することにより、第１例や第２例では図１の（３）図や（６）図に示したように、インテリアオブジェ２の表面５に、コントラストが付与されたレリーフ的な立体感画像Ｇを表示可能であり、この立体感画像Ｇが閲覧者に認識可能となっている。
この立体感画像Ｇは、凹凸３を通過した光Ｂにより、元の画像Ｃに対応した画像と共に、その画像に、コントラスト，明暗，輪郭，奥行き感，起伏感，陰影感等が付与されたものとして、表示される。
例えば、図１の（１）図，（２）図，（３）図の第１例では、（１）図の元の風景画の画像Ｃに対応して形成された、→（２）図のインテリアオブジェ２の凹凸３に、裏面４側から光Ｂが照射されることにより、→（３）図に示したように、コントラストが付与された立体感画像Ｇが、インテリアオブジェ２の表面５側に表示される。
同様に、図１の（４）図，（５）図，（６）図の第２例では、（４）図の元の女性の顔の絵の画像Ｃに対応して形成された、→（５）図のインテリアオブジェ２の凹凸３に、裏面４側から光Ｂが照射されることにより、（６）図に示したように、コントラストが付与された立体感画像Ｇが、インテリアオブジェ２の表面５側に表示される。
【００１６】
なお光源Ａは、図２の例ではインテリアオブジェ２に付設された専用の光源Ａが使用されているが（例えば、箱体の中に光源Ａが収納されると共に、この箱体の一面に形成された開口に、インテリアオブジェ２が嵌め込まれている）、光源Ａはこのようなものに限定されるものではなく、広く各種の光源Ａを利用可能である。
例えば、既設の光源Ａの前にインテリアオブジェ２を置いて、インテリアオブジェ２用の光源Ａとして利用してもよい。更に、インテリアオブジェ２の全体肉厚や光Ｂの透過度の設定次第では、又、室内光や太陽光の照度次第では、室内光や太陽光を、インテリアオブジェ２の光源Ａとして利用することも可能である。
インテリアオブジェ２の凹凸３は、このようになっている。
【００１７】
《凹凸３の形成について》
次に、このような凹凸３の形成について述べておく。図３に示したように、このインテリアオブジェ２の表面の凹凸３は、元の画像Ｃをスキャナーで読み取りＣＡＤソフトで編集，加工して得られたＣＡＭプログラムに基づき、切削機９等の工作機械を用いて形成される。
このような凹凸３の形成について、更に詳述する。まず、図３のステップ▲１▼，▲２▼，▲３▼に示したように、元の画像Ｃがスキャナーで読み取られて、画像データとして出力される。すなわち、写真，絵，文字，記号，図形，模様，その他の画像Ｃが、スキャニングされてデジタルの画像データに変換され、多くの場合は記録メディアに一旦保存される。
【００１８】
そして、図３のステップ▲４▼，▲５▼，▲６▼に示したように、パソコン等のコンピュータ上で、この画像データが、ＣＡＤソフトを利用して編集，加工される。
すなわち、専用のＣＡＤソフト（例えばＤｅｌｃａｍ　ｐｌｃ社の商品名　Ａｒｔ　ＣＡＭ　Ｐｒｏ　Ｒｅｌｅａｓｅ４．５）を使用し、切削システム制御用のＣＡＭプログラムが、編集，加工，出力される。
その際、勿論ビットマップデータやベクトルデータが利用されるが、画像Ｃの多段・多種・詳細な濃淡データ（暗部分Ｄ〜ハーフトーン部分Ｆ〜明部分Ｅに至るデータ）は、切削度の大小データ（深浅データ）に変換され、切削機９用の移動順序，位置決め，移動スピード，運動態様等を指示するデータと共に、ＣＡＭプログラムとして出力される。
【００１９】
それから、図３のステップ▲７▼，▲８▼や図４の（２）図に示したように、出力されたＣＡＭプログラムに基づき、制御装置１０付の切削機９を用いて、素材板１が切削加工され、もって、インテリアオブジェ２が製造されるに至る。
例えば図示例では、ＣＡＭプログラムが入力された制御装置１０からの指令信号に基づき、パルスモータが駆動され、変速装置たる減速歯車１２を介し、Ｘ，Ｙの送りねじ１３が回転して、テーブル１４が移動する。
もって図示例では、テーブル１４上に載せられた工作対象物たる素材板１が移動することにより、上側から圧接されたバイト刃１５にて、素材板１の表面５が、所定の位置，態様，切削度で切削加工される。
例えばこのようにして、素材板１の表面５に所定の凹凸３が形成され、もって、インテリアオブジェ２が製造されるに至る。つまり、元の画像Ｃの細かい濃淡に対応した多様・詳細な凹凸３が表面５に形成された、インテリアオブジェ２が得られる。
インテリアオブジェ２の凹凸３は、このように形成される。
【００２０】
《作用等について》
本発明に係るインテリアオブジェ２は、以上説明したように構成されている。そこで、以下のようになる。
▲１▼このインテリアオブジェ２は、インテリア置物，電飾オブジェとして、店内，オフィス内，家庭内等において、展示，装飾，告知用等に使用される。
▲２▼そして、このインテリアオブジェ２は、素材板１に、写真，絵，文字，記号，図形，模様，その他の画像Ｃを（第１例に関する図１の（１）図や、第２例に関する図１の（４）図を参照）、画像Ｃの各部分毎の細かい濃淡分布に対応した詳細な凹凸３分布で、表現してなる（第１例に関する図１の（２）図や、第２例に関する図１の（５）図、更には図２を参照）。素材板１は、白色，乳白色，グレー，ライトブルー，ピンク，その他の半透明材よりなる。
【００２１】
▲３▼この凹凸３は、インテリアオブジェ２の素材板１の表面５に形成されており、元の画像Ｃの濃いトーンの暗部分Ｄほど、浅く切除されて隆起度が高く、厚い肉厚部分６として形成され、もって光Ｂの透過度がより低くなっている。これに対し、元の画像Ｃの淡いトーンの明部分Ｅほど、深く切除されて隆起度が低く、薄い肉厚部分７として形成され、もって光Ｂの透過度がより高くなっている（図４の（１）図を参照）。
そして凹凸３は、元となる画像Ｃをスキャナーで読み取りＣＡＤソフトで編集，加工して得られたＣＡＭプログラムに基づき（図３を参照）、切削機９を用いて形成されており（図４の（２）図を参照）、例えば９０段階等、５０段階以上に細かく多段に形成されている。
【００２２】
▲４▼そして、このようなインテリアオブジェ２を、例えば付設された光源Ａからの光Ｂが照射すると、次のようになる（図２を参照）。
照射された光Ｂは、インテリアオブジェ２の素材板１の裏面４側から表面５側へと、若干遮光されつつ透過する。すなわち光Ｂは、平坦面に形成されて光源Ａ側に向けられた裏面４側から、細かく多段な凹凸３が形成され閲覧者側に向けられた表面５側へと、透過する。
▲５▼このように、光Ｂが多様な凹凸３を通過することにより、このインテリアオブジェ２の表面５には、コントラストが付与されたレリーフ的な立体感画像Ｇが、表示される（第１例についての図１の（３）図や、第２例についての図１の（６）図を参照）。
すなわち、多様な凹凸３にて、→本来の元の画像Ｃに微妙な明暗が形成され、→本来の元の画像Ｃの輪郭がくっきりと浮き出して、→本来の元の画像Ｃに奥行き感，起伏感，陰影効果が付加された、→三次元的な立体感画像Ｇが、例えば立体写真のように表示される。→元の画像Ｃにコントラストが付加されたような画像態様よりなる、立体感画像Ｇが閲覧者に認識される。
図１の（１）図，（２）図，（３）図の第１例では、（１）図の元の画像Ｃに比し、よりコントラストが付与された（３）図の立体感画像Ｇが表示される。図１の（４）図，（５）図，（６）図の第２例でも、（４）図の元の画像Ｃに比し、よりコントラストが付与された（６）図の立体感画像Ｇが表示される。
【００２３】
▲６▼そこで閲覧者は、このような新しい表現の立体感画像Ｇを、認識することになる（図１の（３）図や（６）図を参照）。
閲覧者は、このインテリアオブジェ２表面５の立体感画像Ｇを見ることにより、今までにないデザイン性，オリジナル性，ユニーク性を感じ、もって、写真，絵，文字，記号，図形，模様，その他の画像Ｃに関し、極めて大きなインテリア感，趣味感，アッピール力，告知力を、受けるようになる。
▲７▼なお、元の画像Ｃに、顔Ｈその他の肌が含まれている場合に（図１の（４）図を参照）、素材板１としてピンク系の半透明材が用いられた場合は、立体感画像Ｇの顔Ｈその他の肌が、実物的に肌色に着色されて表示され（図１の（６）図を参照）、もって一段と趣味感が高まる利点がある。
【００２４】
《その他》
なお、このインテリアオブジェ２は、インテリア置物，電飾オブジェとして、単独で又は枠やアタッチメントを使用しつつ、広く各種用途に使用可能である。例えば、写真立て代用品，額縁代用品，新しいインテリア物，記念盾，銘文，装飾板，ＣＤケース，その他のディスクケース，時計文字盤，レリーフ地図，レストランメニュー，食堂メニュー，等々として、このインテリアオブジェ２は使用可能である。
更に例えば、家具の扉，天井や壁やテーブルの一部，表札，電気スタンドのカバー，その他の照明カバー、等々としても、このインテリアオブジェ２は利用可能である。又、告知表示，情報表示，案内表示，その他の伝達表示としても、このインテリアオブジェ２は利用可能である。
【００２５】
【発明の効果】
《本発明の特徴》
本発明に係るインテリアオブジェは、以上説明したように、元となる画像の濃淡に対応した凹凸を、光を透過可能な素材板表面に切削形成して、裏面側に光源を置いて照射することにより、コントラストが付加された立体感画像を表示するようにしたこと、を特徴とする。
【００２６】
《第１の効果》
第１に、新しい表現により、インテリア感，趣味感，アッピール力，告知力等を、大きく向上させることができる。
すなわち、本発明のインテリアオブジェは、コントラストが付加された立体感画像を表示するので、立体感がありリアル性が富み、もって、２次元的表現に止まっていたこの種従来例に比し、デザイン性，オリジナル性，ユニーク性等に優れている。
そこで、店内，オフィス内，家庭内等において、展示，装飾，告知用にこのインテリアオブジェを使用して、写真，絵，文字，記号，図形，模様，その他の画像を表示することにより、インテリア感や趣味感を向上させ、アッピール力や告知力を高めることができるようになる。
【００２７】
《第２の効果》
第２に、しかもこれは、簡単容易に実現される。すなわち、本発明のインテリアオブジェは、汎用のスキャナー，ＣＡＤソフト，ＣＡＭプログラム，制御装置，切削機等を用いることにより、簡単に製造可能である。
つまり、前述したこの種従来例のように、人的や物的に大掛かりな仕掛けを要することなく、人手やコストをかけずに、上述した第１の点が容易に実現可能である。
このように、この種従来例に存した課題がすべて解決される等、本発明の発揮する効果は、顕著にして大なるものがある。
【図面の簡単な説明】
【図１】本発明に係るインテリアオブジェについて、発明の実施の形態の説明に供し、（１）図は、第１例に用いられた画像を、（２）図は、第１例の表面を、（３）図は、第１例の立体感画像を示す。（４）図は、第２例に用いられた画像を、（５）図は、第２例の表面を、（３）図は、第２例の立体感画像を示す。
【図２】同発明の実施の形態の説明に供し、拡大した側断面図である。
【図３】同発明の実施の形態の説明に供し、製造工程のブロック図である。
【図４】同発明の実施の形態の説明に供し、（１）図は、画像，切削度，透過性等の関係説明図、（２）図は、切削機の正面図である。
【符号の説明】
１　素材板
２　インテリアオブジェ
３　凹凸
４　裏面
５　表面
６　厚い肉厚部分
７　薄い肉厚部分
８　中間の肉厚部分
９　切削機
１０　制御装置
１１　パルスモータ
１２　減速歯車
１３　送りネジ
１４　テーブル
１５　バイト刃
Ａ　光源
Ｂ　光
Ｃ　画像
Ｄ　暗部分
Ｅ　明部分
Ｆ　ハーフトーン部分
Ｇ　立体感画像
Ｈ　顔
【図１】
2004050713.tif 000003
【図２】
2004050713.tif 000004
【図３】
2004050713.tif 000005
【図４】
2004050713.tif 000006